(57)【要約】      （修正有）【課題】指に人体が縮約されて映った縦軸理論及び横軸理論は、指の特定部位を刺激すれば相応する人体部位はストレスという生体反応現象で、人体部位の不快感を改善及びダイエット効果を獲得することができる。【解決手段】粘着性を具備したシリコ−ン、ウレタン、ゴム及びプラスチックなどの材料を選定して相互融錯・融合して異色・異材質・異種金属・混色の帯状に螺線型に形成される「ファッション螺線指輪（Ｆａｓｈｉｏｎｓ  ｓｐｉｒａｌ  ｆｉｎｇｅｒ  ｒｉｎｇ）」を提供する。左右各五つ指各節の長さ・太さ・形態及びサイズに合った帯状の螺線形で２回，３回…〜９回を中央集中性向の理論によって巻いた「ファッション螺線指輪」は従来の問題を解決すると同時に洗浄して半永久的に使える。【選択図】図２
2009056300.tif 000002
【特許請求の範囲】
【請求項１】
粘着性を具備したシリコ−ン（ｓｉｌｉｃｏｎ）、ウレタン（ｕｒｅｔｈａｎｅ）、ゴム（ｒｕｂｂｅｒ）及びプラスチック（ｐｌａｓｔｉｃ）などで本発明によって形成されるシリコ−ン・ゴム絆創膏及び「ファッション螺線指輪（Ｆａｓｈｉｏｎ  ｓｐｉｒａｌ  ｆｉｎｇｅｒ  ｒｉｎｇ）」において少なくとも１種類以上の材料で構成され、同一材料の異性性質の物性または異種材料材質で相互融錯・融合して構成すると同時に顔料・染料、蛍光物質及び香料などが混合して、イオン化傾向がお互いに違う異種金属を糾合させて成形・射出して、玉石または磁石を内設して左右両側の指の親指と人指に着用する用途は円筒型＋喇叭型＋逆喇叭型などの少なくとも１型が１回以上形成されるかまたは連続して中指方向に螺線形に巻回して、中指、薬指、小指に着用する用途は円筒型＋喇叭型＋逆喇叭型などの少なくとも１型が１回以上形成されたかまたは連続して人指及び親指方向に螺線形で巻回する事を特徴とした人体部位の不快症の改善及びダイエット効果を発揮する帯状の螺線状で構成されたファッション螺線指輪（Ｆａｓｈｉｏｎ  ｓｐｉｒａｌ  ｆｉｎｇｅｒ  ｒｉｎｇ）
【請求項２】
第１項において成形された製品にメッキをして形成し構成されることを特徴にする帯状シリコ−ン・ウレタン・ゴム絆創膏及びファッション螺線指輪（Ｆａｓｈｉｏｎ  ｓｐｉｒａｌ  ｆｉｎｇｅｒ  ｒｉｎｇ）
【発明の詳細な説明】
【技術分野】
【０００１】  この発明は身体部位の不快症を改善することができ、食べ物を制限する必要がなく、時と場所を選ばず身体部位のダイエット効果を期待することができる「ファッション螺線指輪（Ｆａｓｈｉｏｎ  ｓｐｉｒａｌ  ｆｉｎｇｅｒ  ｒｉｎｇ）」に関する物である。
日常「ファッション螺線指輪（Ｆａｓｈｉｏｎ  ｓｐｉｒａｌ  ｆｉｎｇｅｒ  ｒｉｎｇ）」を指にするだけでも身体部位の不快感を解消しダイエット改善効果を獲得することができる簡単で天候に左右されず恵みを受けることができる。
【背景技術】
【０００２】  従来は絆創膏または金属のリング（ｒｉｎｇ）を利用した。しかしこのような術式は４週から１２週位の中長期的に施行する時、効果を獲得することができ、絆瘡膏または金属リング（ｒｉｎｇ）は物質が持つ固有の物性による深刻な副作用と相当な問題点が発生した。【０００３】  従来技術である絆創膏は指の同じ部位に一日に何度もはったり、はがしたりの繰り返しで肌が絆創膏に負けて傷が発生し出血した。
傷の治療期間にはこの術式ができない為ダイエットのリバウンド（ｒｅｂｏｕｎｄ）現象が発生し傷の跡が残って見た目にも良くなかった。また絆創膏の粘着液が側面に突き出て汚物がつき衛生上及び美観上でも不適格であった。【０００４】  従来の他の技術として金属の板状線材を螺線形に巻回して指に着用した。しかし螺線形の金属リングは指か細い為しっかり巻くと折れて、また指に密着されない為相応しい圧迫が発揮されなかった。また、衝撃に弱く形態が容易に壊れたりした。
【発明の開示】
【発明が解決しようとする課題】
【０００５】  以上に述べた従来技術及び従来の他の技術である絆創膏療法の問題点すなわち、手に水がつけば絆創膏をまたはりかえなければならないなど少なくとも一日に３〜５回程度繰り返すことで傷が発生して、出血し、傷あとがでも、手と絆創膏に汚物がつきて、指に密着されないで、小さな衝撃にも形態が壊れるなどの問題を解決するためである。
【課題を解決するための手段】
【０００６】  手に身体が縮約されているという理論は開知事項として漢方医学の一分類である鍼術及び手指鍼術による治療効果もこの理論で由来される。もっと詳細に述べると手の甲部位は体外の皮下脂肪に相応し手の平部位は体内の内臓脂肪に相応すると同時に親指の末節骨は顔に相応して、人指の末節骨は前腕部、中節骨は上腕部に相応し、薬指の末節骨は臍の下の下腹部に相応する一連の例を記載した。【０００７】  この発明は上記に述べた従来の技術及び従来の他の技術の深刻な問題点を改善すると同時に日常不便無く着用することだけで身体部位の不快感を改善してダイエット効果を獲得することができるファッション螺線指輪を提供しようとする。【０００８】  このためにこの発明は粘着性、弾力性、復原性、張力強度、硬化性、透明性及び着色性などの物性デ−タを検討した後、発明の思想に相応しい物性を持つシリコ−ン、ウレタン、ゴム、プラスチックと蛍光・燭光顔料、視光顔料と香料（香り顔料）及び細線の異種金属とイオン化傾向が他の異種金属そして玉石と磁石などを発明による材料でそれぞれ選定した。【０００９】  以上それぞれの材料は磁石及びイオン化傾向が他の異種金属などと相互融着し調合され異色・異種材質を具備した数種のパタ−ン（ｐａｔｔｅｒｎ）がインサート（ｉｎｓｅｒｔ）射出及び２重性型・射出の工程で構成される。
【発明の効果】
【００１０】  上述したように従来技術の問題点である  ▲１▼傷が発生する事例と，  ▲２▼出血する事例及び  ▲３▼傷あとが残存する事例を排除すると同時に  ▲４▼毎日つけたりはずしたりする煩わしさと  ▲５▼肌と絆創膏に垢のつく事例が遮られる有益性が確保される。【００１１】  従来他の技術の問題点である  ▲６▼リング（ｒｉｎｇ）が指構造及び指に密着されない事例が無く  ▲７▼リング（ｒｉｎｇ）の形態が壊れる事例がなく  ▲８▼金属リング（ｒｉｎｇ）の側面との摩擦による肌のトラブルが発生される事例などの問題が解決される効果が発揮され、洗浄して再使用可能な結果半永久的に使うことができる効果も発揮される。
【発明を実施するための最良の形態】
【００１２】  以下、図面を参考にして本発明の実施形態を説明する。
【実施例１】
【００１３】  図１は本発明の第１実施例を現わすものとして異色・異種材質で構成されるシリコ−ン絆創膏またはゴム絆創膏の概念図である。柔軟性が相応しい医療用ゴム材料（１）に色顔料を混合し１次成形した後、粘着性が適切な医療用シリコ−ン材料（２）に色顔料を混合してゴム材料（１）に融着して２次成形・射出した後、ゴム材料（１）に視光顔料（３）を混合し３次で射出・成形することで完成される。【００１４】  本実施に於いてはゴムの厚さは０．３ｍｍでシリコーンの厚さは０．２ｍｍで幅４ｍｍ×長さ６０ｃｍの物としてその柔軟性は繊維にあたる位の物で構成した。
【実施例２】
【００１５】  図２の［Ａ］は本発明による第２実施例を現わす物である。
本実施例はイオン化傾向が他の２種類または３種類の異種金属をお互いに密着して「ファッション螺線指輪（Ｆａｓｈｉｏｎ  ｓｐｉｒａｌ  ｆｉｎｇｅｒ  ｒｉｎｇ）」（以下：リング）の内側に取り付けることで異種金属の間の境界面には陰（−）電荷，陽（＋）電荷が発生して電位差による電気２重層が形成される。【００１６】  イオン化傾向が他の異種金属にしたがって自由電子を縛る力が違うので自由電子が一方から他の一方に流れて、流れて入って来た方の一種金属の表面には陰（−）電荷が発生し他の一種金属表面には陽（＋）電荷が発生して形成される電気は指の肌で発生する汗（塩気成分）と相和してなおいっそう肌を刺激する結果、相応する身体部位の不快感を改善してダイエット効果が発揮される。【００１７】  よりと詳細するとリング（ｒｉｎｇ）の内側（１１）にイオン化傾向がお互いに違う一種金属（１２）と他の一種金属（１３）を互いに密着してリング（ｒｉｎｇ：１４）．を異色・異種材質で射出成形することで異種金属の間の境界に（１５）が構成され、ここで発生される電気は汗（塩基性）との相和的な作用で肌に導電されて電気刺激が付加する構成である。【００１８】  本実施例の異種金属は髪の毛の太さの厚さで剥離したこととしてその強度は本発明で構成されるシリコ−ン、ウレタン、ゴム、プラスチックの強度に厳格に制御される。【００１９】  本実施例はリング（ｒｉｎｇ）の弾力性による刺激とシリコ−ンの粘着性による刺激及び異種金属の電位差による電気的刺激が同時に発揮される構成として開知のイオン化傾向の大小による金属列の順位は下記の通りである。
（大）Ｌｉ、Ｋ、Ｂａ、Ｃａ、Ｎａ、Ｍｇ、Ａｌ、Ｚｎ、Ｆｅ、Ｎｉ、Ｓｎ、Ｐｂ、（Ｈ）、Ｃｕ、Ｈｇ、Ａｇ、Ｐｔ、Ａｕ（小）【００２０】  図２の［Ｂ］はｃ−ｃ線の切断拡大断面図である。
【実施例３】
【００２１】  図３は本発明の第３実施例を現わす。
指の各関節の模様を現わす参考図として基節骨、中節骨、末節骨の構造・形象に起因した人体（指）工学的なファッション螺線指輪（Ｆａｓｈｉｏｎ  ｓｐｉｒａｌ  ｆｉｎｇｅｒ  ｒｉｎｇ）が提供される。【００２２】  図３の［ア］は親指と人指の末節骨に着用するリング（ｒｉｎｇ）の形象図である。
左右側の指の親指と人指し指の末節骨に着用することとして前記した第１または第２実施例と同じ材料を選定して各末節骨の構造に符合する喇叭形（１６）模様に着用状態を基準すると時、中指方向に２回巻いた。【００２３】  図３の［イ］は中指と薬指及び小指の末節骨に着用するリング（ｒｉｎｇ）の形象図である。
左右側の指の中指と薬指及び小指の末節骨に着用することとして各末節骨の構造に符合する喇叭型（１７）である。着用状態を基準として人指し指の方向に２回巻いた物である。【００２４】  図３の［ウ］は親指の基節骨に着用するリング（ｒｉｎｇ）の形象図である。
左右側の指親指の基節骨に着用することとして任意の仮想線（１８）と同じように親指の基節骨の構造に符合するように中央は円筒形で左右は喇叭型（１９）模様に着用状態の手の甲を基準として人指し指の方向に３回巻いた構成である。【００２５】  図３の［エ］は人指し指の中節骨に着用するリング（ｒｉｎｇ）の形象図である。
左右側指の人指し指の中節骨に着用することとして任意の仮想線（２０）のように３／４位置の円筒形を基準して左側は１回巻回喇叭型（２１）で右側は２回巻回した喇叭型（２１）で構成した。着用状態の手の甲を基準する時中指方向に４回巻した構成である。【００２６】  図３の［オ］は中指と薬指及び小指の中節骨に着用するリング（ｒｉｎｇ）の形象図である。
任意の仮想線（２２）のように  ３／４部分は喇叭型（２３）で  １／４部分は逆喇叭型（２４）で構成して中指，薬指及び小指の形象と構造に符合する。着用状態で手の甲を基凖とする時人指し指方向に４回巻した構造である。
この実施例はリング（ｒｉｎｇ）の内径を異なるようにして薬指の基節骨の着用で代用できる。【００２７】  図３の［カ］は人指し指の基節骨に着用するリング（ｒｉｎｇ）の形象図である。
任意の仮想線（２５）通り人指し指の基節骨に符合する形象として喇叭形（２６、２７、２８）の内径が段階的にそれぞれ異なるように構成した。着用状態で手の甲を基準とする時、中指方向に４回巻いた物であり、中指の基節骨の用途は巻く方向を人指し指の方向に４回巻いて代用することができる。【００２８】  図３の［キ］は薬指の基節骨に着用するリング（ｒｉｎｇ）の形象図である。
任意の仮想線（２９）通り薬指の基節骨に符合する形象として喇叭型（３０）＋縮小円筒形（３１）＋拡大円筒形（３２）で構成した、着用状態で手の甲を基準とする時、中指方向に４回巻いした構造である。【００２９】  図３の［ク］は親指に着用するリング（ｒｉｎｇ）の形象図である。
任意の仮想線（３３）通り喇叭型（３４）＋円筒型（３５）＋逆喇叭型（３６）＋喇叭型（３７）の組合せで親指の形象に符合し着用状態で手の甲の方を基準とする時人指し指方向に５回巻いた。【００３０】  図３の［ケ］は人指し指に着用するリング（ｒｉｎｇ）の形象図である。
任意の仮想線（３８）通り喇叭型（３９）＋円筒型（４０）＋逆喇叭型（４１）＋喇叭型（４２）の組合せで人指し指の形象に符合することとして着用状態で手の甲の方を基準とする時、中指方向に７回巻いした。【００３１】  図３の［コ］は中指に着用するリング（ｒｉｎｇ）の形象図である。
任意の仮想線（４３）と通り喇叭型（４４）＋円筒型（４５）＋逆喇叭型（４６）＋喇叭型（４７）の組合せで中指の形象に符合し着用状態で手の甲の方を基準とする時、人指し指方向で中指の長さを考慮して９回巻いた。【００３２】  図３の［サ］は薬指に着用するリング（ｒｉｎｇ）の形象図である。
任意の仮想線（４８）と通り喇叭型（４９）＋円筒型（５０）＋逆喇叭型（５１）＋喇叭型（５２）＋円筒型（５３）＋逆円錐型（５４）の組合せで薬指形象に符合することとして着用状態で手の甲の方を基準とする時、中指方向に８回巻回した。【００３３】  図３の［シ］は小指に着用するリング（ｒｉｎｇ）の形象図である。
任意の仮想線（５５）と通り喇叭型（５６）＋円筒型（５７）＋喇叭型（５８）＋逆喇叭型（５９）＋喇叭型（６０）の組合せで所持形象に符合することとして着用状態で手の甲の方を基準とする時、薬指方向で６回巻いた。
【実施例４】
【００３４】  図４は本発明の第４実施例を現わした物である。
本発明で選定するシリコ−ン，ゴム，プラスチックの材料にバリウム（Ｂａ），ストロンチウム（Ｓｒ）とアチォルサンヨック（亜鉄酸塩：フェライトｆｅｒｒｉｔ）を混合して生成されるゴム磁石またはナイロン（ｎｙｌｏｎ）樹脂を混合して生成されるプラスチック磁石に少なくとも１種以上の材料を含んで構成される「ファッション螺線指輪（Ｆａｓｈｉｏｎ  ｓｐｉｒａｌ  ｆｉｎｇｅｒ  ｒｉｎｇ）」を成形・射出することができると同時に玉石または磁石を密着・縫合してファッション化と作用の機能を効率化させることができる．【００３５】  図４の［Ｄ］は本実施例を現わすもので磁石（６２）を直径２．１７ｍｍ×厚さ０．４ｍｍの６角形（参照：
2009056300.tif 000003
指，小指に着用するリング（ｒｉｎｇ）の内側に位して成形・射出した。【００３６】  図４の［Ｅ］は実施状態を現わすＢ−Ｂを切断した断面の拡大図である。６角左右の角部分がシリコーン、ゴムまたはプラスチックの材料に密着・縫合される為離脱しない構成である。【００３７】  以上、各実施例を記述したが製品を成形・射出した後開知の鍍金法でメッキをし構成することもできる。
【図面の簡単な説明】
【図１】図１は本発明の第１実施例を示す一部切断の立体図である。
【図２】図２の［Ａ］は本発明の第２実施例を示す四視図及び部分拡大図である。図２の［Ｂ］はＣ−Ｃ線を切断した拡大断面図である。
【図３】図３は手骨の構造・形象の参考図である。図３の［ア］で…［シ］までは本発明による「ファッション螺線指輪」の構造と形象の概念図である。
【図４】図４の［Ｄ］は本発明による四視図で、［Ｅ］はＢ−Ｂ線を切断した断面図である。
【符号の説明】
１：ゴム材料      ２：シリコーン材料      ３：視光顔料      １２：一種金属
１３：他の一種金属（一種金属）  １６，１７，１９，２０，２３，２７，２８：喇叭型
１８、２０：任意の仮想線        ２４：逆喇叭型      ４０：円筒型    ６２：磁石
【図１】
2009056300.tif 000004
【図２】
2009056300.tif 000005
【図３】
2009056300.tif 000006
【図４】
2009056300.tif 000007